(57)【特許請求の範囲】
【請求項１】
上框と下框と竪框とを框組みしてなる框体と、框体の開口部に設けた網戸と上げ下げ窓とを備え、室内側に位置する上げ下げ窓の下障子の下面と下框上面間には、室外側と室内側の二箇所にタイトラインが形成してあり、下框には、上壁と下壁とに通気孔が設けてあり、通気孔より両タイトラインの間の空間に外気を導入することで、両タイトラインの間の空間を室外と等圧にしたことを特徴とする戸。
【発明の詳細な説明】
【技術分野】
【０００１】
本発明は、上げ下げ窓付きの戸に関する。
【背景技術】
【０００２】
従来のドアとして、竪框と横框とを枠組みして形成した開口部に網戸と上げ下げ窓を設けた採風ドアが知られている。従来の採風ドアは、図５に示すように、室内側に位置する下障子９０の下面とドア下框９１の上面との間の空間９２に対して、室外から雨水の浸入を遮るものがなく、台風のような強い雨風のときには当該空間９２に室外から容赦なく雨水が浸入して溜まる。ドア下框９１には室内側に起立壁９３が設けてあり、起立壁９３にタイト材９４を保持し、タイト材９４が下障子９０の下面の室内側端部に当接するようにしているが、上げ下げ窓の障子は竪框にロック片を係合させて施錠する構造となっており、引き違いサッシの障子のようにクレセントで戸先を枠に押し付けて施錠する構造ではないため、強い雨風のときにはドア下框の起立壁９３を越えて室内に雨水が漏水することがあった。止水性を向上するためには、ドア下框の起立壁９３の高さを高くする必要があり、そうするとドア下框９１の見付け寸法が増大し、開口部の面積が狭くなるので、好ましくない。
【発明の概要】
【発明が解決しようとする課題】
【０００３】
本発明は以上に述べた実情に鑑み、上げ下げ窓の下障子の下部と下框の間から雨水が室内に漏水するのを防止できる戸の提供を目的とする。
【課題を解決するための手段】
【０００４】
上記の課題を達成するために請求項１記載の発明による戸は、上框と下框と竪框とを框組みしてなる框体と、框体の開口部に設けた網戸と上げ下げ窓とを備え、室内側に位置する上げ下げ窓の下障子の下面と下框上面間には、室外側と室内側の二箇所にタイトラインが形成してあり、下框には、上壁と下壁とに通気孔が設けてあり、通気孔より両タイトラインの間の空間に外気を導入することで、両タイトラインの間の空間を室外と等圧にしたことを特徴とする。
【発明の効果】
【０００５】
請求項１記載の発明による戸は、下障子の下面と下框上面間に設けた室外側と室内側の二箇所のタイトラインにより雨水の浸入を防止し、尚且つ下框の上壁と下壁とに通気孔が設けてあり、通気孔より両タイトラインの間の空間に外気を導入することで、両タイトラインの間の空間を室外と等圧にしたので、室外側のタイトラインを越えて雨水が浸入したとしても、その雨水は室内側に吸い込まれることなく下框の通気孔を通じて排水されるため、強い雨風のときでも下障子の下部と下框の間からの雨水の浸入を防止できる。
【図面の簡単な説明】
【０００６】
【図１】本発明の戸の一実施形態に係る採風ドアを示す縦断面図である。
【図２】同ドアの横断面図である。
【図３】同ドアの室内側正面図である。
【図４】同ドアの下框の平面図である。
【図５】従来の採風ドアの縦断面図である。
【発明を実施するための形態】
【０００７】
以下、本発明の実施の形態を図面に基づいて説明する。図１〜３は、本発明の戸の一実施形態であって、玄関や勝手口等に設けられる採風ドア１５に適用した例を示している。本ドア１５は、躯体開口部に取付けられる枠１６に、蝶番１７で室外側に開くように支持してあり、アルミ合金の押出形材よりなる上框１と下框２と吊元框３と戸先框４とを四周框組みして矩形の框体５が構成され、框体５の開口部６に上げ下げ窓８を設け、開口部６の室外側に網戸７を取付けてある。枠１６は、ドア１５の室内側面に当接するタイト材１８，１９を有している。
吊元框３と戸先框４は、図２に示すように、内周側に開口した室内外２列の溝２０ａ，２０ｂを有し、室外側の溝２０ａに上障子９ａが、室内側の溝２０ｂに下障子９ｂがそれぞれ上下動可能に保持してある。上障子９ａと下障子９ｂは、ワイヤーと滑車を用いた連動機構（図示省略）により連結され、下障子９ｂを上げるとこれに連動して上障子９ａが下降し、上障子９ａの上方と下障子９ｂの下方に形成される開口部を通じて採風が行える。吊元框３の室内側面には施錠装置２１が取付けてあり（図３参照）、施錠装置２１の背面より突出する施錠片が下障子９ｂに設けた錠受けに係合することにより、上障子９ａ及び下障子９ｂが施錠される。
【０００８】
上框１は、図１に示すように、上壁１ａと下壁１ｂと室外側壁１ｃと室内側壁１ｄとで矩形の中空部が構成され、下壁１ｂが室外側壁１ｃよりも室外側に延出しており、その下面側に上障子９ａの上部が挿入される溝２２が構成してある。
下框２は、上壁２ａと下壁２ｂと室外側壁２ｃと室内側壁２ｄとで矩形の中空部が構成され、上壁２ａは室外側壁２ｃよりも室外側に延出しており、室外側に向かって僅かに下り勾配で傾斜している。下框２の室内側面には、上壁２ａより突出する起立壁２３が設けてあり、起立壁２３の室外側面の上下方向中間部にタイト材ホルダー２４を設けてタイト材２５を取付けてあり、このタイト材２５に下障子９ｂの下面の室内側端部を押し付けて、タイトライン１１を構成している。上壁２ａの室外側壁２ｃよりも室内側の部分と下壁２ｂには、通気孔１３が形成してある。通気孔１３は、図４に示すように、室内外方向の幅が８ｍｍ、左右方向の長さが４０ｍｍの長孔状となっており、このような通気孔１３が左右方向に間隔をおいて複数設けてある。
【０００９】
上障子９ａは、アルミ合金の押出形材よりなる上框２６ａと下框２７ａと左右の竪框２８ａ，２８ａを方形に組み、その枠内にガラス２９を装着して構成されている。上障子９ａの上框２６ａは、図１に示すように、室外側面と室内側面に長手方向に沿ってモヘア３０が取付けてあり、ドア上框１の溝２２との間の隙間をモヘア３０で塞いでいる。上障子９ａの下框２７ａは、室内側面の下部に煙返し３１ａを有し、室内側面の上部にタイト材３２が設けてある。上障子９ａの竪框２８ａには、図２に示すように、室外側面と室内側面に長手方向に沿ってモヘア３３が取付けてあり、ドア竪框（吊元框３、戸先框４）の溝２０ａとの間の隙間をモヘア３３で塞いでいる。
下障子９ｂは、アルミ合金の押出形材よりなる上框２６ｂと下框２７ｂと左右の竪框２８ｂ，２８ｂを方形に組み、その枠内にガラス２９を装着して構成されている。下障子９ｂの上框２６ｂは、図１に示すように、室外側面の上部に上障子下框２７ａのタイト材３２が当接する当接部３４を有し、室外側面の下部に上障子下框２７ａの煙返し３１ａと係合する煙返し３１ｂが設けてある。下障子９ｂの下框２７ｂは、室外側に垂下片３５を有し、垂下片３５の下端部にタイト材ホルダー３６を設けてタイト材３７を取付けてある。タイト材３７は、室外側に傾斜して垂下するヒレ片３７ａを有し、ヒレ片３７ａの先端部が室外側に湾曲してドア下框２の上壁２ａ上面に当接し、タイトライン１０を構成している。下障子９ｂの竪框２８ｂには、図２に示すように、室外側面と室内側面に長手方向に沿ってモヘア３３が取付けてあり、ドア竪框３，４の溝２０ｂとの間の隙間をモヘア３３で塞いでいる。
【００１０】
本ドア１５は以上に述べたように、下障子９ｂの下框２７ｂの垂下片３５の下端部に設けたタイト材３７と、下框２の起立壁２３に設けたタイト材２５とにより、下障子９ｂの下面と下框２上面間にタイトライン１０，１１が室外側と室内側の二箇所に形成され、両タイトライン１０，１１により下障子９ｂと下框２の間からの雨水３８の浸入を二重に阻止する。さらに、下框２の上壁２ａと下壁２ｂとに長孔状の通気孔１３を複数設けたことで、これらの通気孔１３より両タイトライン１０，１１の間の空間１２に外気３９が導入され、両タイトライン１０，１１の間の空間１２が室外と等圧になるため、室内側の気圧が室外側より低いときであっても、室内外の気圧差により雨水３８が室内側に引っ張られることがなく、仮に室外側のタイトライン１０を越えて雨水３８が浸入したとしても、下框２の通気孔１３を通じて室外に排水されるため、下框２の起立壁２３の高さを高くすることなく、下障子９ｂと下框２の間を確実に止水できる。これにより、台風のような強い雨風のときでも、下障子９ｂと下框２の間からの漏水を防止することができる。本構成を採用することで、従来止水性が乏しかった下障子９ｂと下框２の間の止水性が著しく改善するため、採風ドア１５の止水性能を大きく向上することができ、１０００Ｐａの止水性能を得ることが可能となる。
【００１１】
本発明は以上に述べた実施形態に限定されない。本発明の戸は、実施形態のようなドア（開き戸）に限らず、引戸とすることもできる。戸や障子の框は、樹脂、あるいは金属と樹脂の複合材とすることもできる。
【符号の説明】
【００１２】
１  上框
２  下框
３  吊元框（竪框）
４  戸先框（竪框）
５  框体
６  框体の開口部
７  網戸
８  上げ下げ窓
９ａ  上障子
９ｂ  下障子
１０，１１  タイトライン
１２  両タイトラインの間の空間
１３  通気孔
１５  ドア（戸）
【図１】
0005689386.tif 000002
【図２】
0005689386.tif 000003
【図３】
0005689386.tif 000004
【図４】
0005689386.tif 000005
【図５】
0005689386.tif 000006